(57)【要約】【課題】凍上を引き起こす原因の一つである降雨、融雪などによる浸透水を排除する排水性に優れ、凍上による土層の緩みを少なくして法面の浸食・崩壊を抑えることができるようにした法面保護マットを提供する。【解決手段】種子３が含有される植生基盤材４を熱可塑性樹脂材により成形される平板状の三次元網状構造体１内の隙間２に充填した植生基盤層５と、植生基盤層５の上面を覆い植物が芽を出すことのできる隙間を備えた上面被覆シート６と、植生基盤層５の下面を覆い植物の根が貫通できる隙間を備えた下面被覆シート７と、を積層しなり、三次元網状構造体１は、多数本のモノフィラメントをランダムなループ状に堆積して形成され、その厚み部内に排水を円滑に行なうことができる筒状空洞部８が複数列設される。【選択図】図１
2008208604.tif 000002
【特許請求の範囲】
【請求項１】
種子が含有される植生基盤材を熱可塑性樹脂材により成形される平板状の三次元網状構造体内の隙間に充填した植生基盤層と、前記植生基盤層の上面を覆い植物が芽を出すことのできる隙間を備えた上面被覆シートと、前記植生基盤層の下面を覆い植物の根が貫通できる隙間を備えた下面被覆シートと、を積層して形成される法面保護マットであって、
前記三次元網状構造体は、多数本のモノフィラメントをランダムなループ状に堆積して形成されその厚み部内に排水を円滑に行なうことができる筒状空洞部が複数列設されたことを特徴とする法面保護マット。
【請求項２】
前記上面被覆シートが藁又はジュート等の天然素材から筵状に形成されている請求項１記載の法面保護マット。
【請求項３】
前記下面被覆シートが不織布である請求項１又は２記載の法面保護マット。
【発明の詳細な説明】
【技術分野】
【０００１】
本発明は、寒冷地において造成法面や自然傾斜などの法面の特に凍上による侵食・崩壊を有効に防止するようにした法面保護マットに関するものである。
【背景技術】
【０００２】
一般に、盛土、切土による造成法面や自然傾斜などの法面をそのまま裸地の状態で放置しておくと、降雨や融雪水などによりその法面が浸食されて最終的に崩壊が起こり、人命を危険に晒したり景観を悪くしてしまうといった事態が起きている。この法面の浸食・崩壊を防止するため、例えばコンクリート製の縦枠と横枠を法面に格子状に施工してなる構成（例えば、特許文献１参照。）、少なくとも一方向に延伸しかつ上部が開口した箱型の法面部材を法面に多数格子状に築造し、法枠の内部には植栽を施すようにした構成（例えば、特許文献２参照。）、又は、網篭に木本を収容して製作した土留材を法面に敷設し、分解した土留材が植生基盤材を兼ねて法面を緑化させるようにした構成（例えば、特許文献３参照。）が採られている。
【０００３】
【特許文献１】実用新案登録第３０７４５３５号公報（第５−７頁、図１）
【特許文献２】特開平９−８８０７４号公報（第３−４頁、図４）
【特許文献３】特開２００１−１７２９７７号公報（第２−３頁、図１）
【発明の開示】
【発明が解決しようとする課題】
【０００４】
ところで、寒冷地でも前記のように法面保護のための工夫が採られているが、特に寒冷地では法面に浸み込んだ降雨、融雪などによる浸透水が凍ることにより土中で霜柱が発生してその表面の土層を持ち上げ、これを繰り返すことによって土層が緩むいわゆる凍上という危険な現象が起こる。この現象が起こると、特許文献１乃至３の法枠や土留材は下から押し上げられて変形し破壊されるばかりか、春先になると大雨や融雪による浸透水が土層内の空洞部に大量に溜まり、これが原因となって法面の浸食・崩壊が起き、本来の法面保護という目的を達成することが困難となっているのが現状である。
【０００５】
そこで、本発明は、前記課題に鑑みてなされたもので、凍上を引き起こす原因の一つである降雨、融雪などによる浸透水を排除する排水性に優れ、凍上による土層の緩みを少なくして法面の浸食・崩壊を抑えることができるようにした法面保護マットを提供することを目的とするものである。
【課題を解決するための手段】
【０００６】
かかる目的を達成するため法面保護マットは、種子が含有される植生基盤材を熱可塑性樹脂材により成形される平板状の三次元網状構造体内の隙間に充填した植生基盤層と、前記植生基盤層の上面を覆い植物が芽を出すことのできる隙間を備えた上面被覆シートと、前記植生基盤層の下面を覆い植物の根が貫通できる隙間を備えた下面被覆シートと、を積層して形成される法面保護マットであって、前記三次元網状構造体は、多数本のモノフィラメントをランダムなループ状に堆積して形成されその厚み部内に排水を円滑に行なうことができる筒状空洞部が複数列設されたことを特徴とする。
【０００７】
この際、前記上面被覆シートが藁又はジュート等の天然素材から筵状に形成されていることが好ましい。
【０００８】
また、前記下面被覆シートが不織布であることが好ましい。
【発明の効果】
【０００９】
本発明に係る法面保護マットは、種子が含有される植生基盤材を熱可塑性樹脂材により成形される三次元網状構造体内の隙間に充填した植生基盤層と、その上面を覆い植物が芽を出すことのできる隙間を備えた上面被覆シートと、植生基盤層の下面を覆い植物の根が貫通できる隙間を備えた下面被覆シートと、を積層して形成され、三次元網状構造体の厚み部内に排水を円滑に行なうことができる筒状空洞部を複数列設するようにしたので、降雨による直接の浸食が上面被覆シートにより防止され、また、法面の内部に深く浸透する前に浸透水が筒状空洞部を介して下方へ排出されることになり、法面の凍上現象が抑えられる。これにより、寒冷地の法面であっても浸食・崩壊が起きにくくなり、人命を危険に晒したり景観を悪くするといった事態が解消される。しかも、法面保護マットは、上・下面被覆シートと中間の植生基盤層を積層し一体化した簡単な構成であって、法面に敷設するのみで済むことから、安価に提供できると共に施工が容易であり施工コストも低廉になし得るという効果が有る。
【００１０】
また、上面被覆シートが藁又はジュート等の天然素材から筵状に形成されていると、隙間が多く、種子から芽が出た場合にその隙間から若葉が出やすくなってその育成に好適である。
【００１１】
更に、下面被覆シートが不織布により形成されていると、種子から根が出た場合に不織布の隙間を介して根が通過しやすく、また、通水性にも優れることからその育成に好適である。
【発明を実施するための最良の形態】
【００１２】
以下、本発明に係る法面保護マットの実施の形態を図面に基いて詳しく説明する。図１は本発明に係る法面保護マットの一部拡大斜視図、図２は同法面保護マットの製造段階を示す一部拡大側面断面図である。法面保護マットＡは、平板状の三次元網状構造体１内の隙間２に種子３を含有した植生基盤材４が充填される植生基盤層５と、該植生基盤層５の上面を覆う上面被覆シート６と、前記植生基盤層５の下面を覆う下面被覆シート７と、を積層して形成される。
【００１３】
三次元網状構造体１は、例えばポリプロピレンといった熱可塑性樹脂からなり、例えば幅１ｍ、長さ４ｍ、厚み２０ｍｍ、重量１２００ｇ／ｍ、圧縮強度：２０％圧縮時４９ＫＮ／平方メートル、物性特性：耐アルカリ・耐酸性・耐微生物に優る。更に詳しくは、三次元網状構造体１は、図２（イ）に示すように厚み部内にその長手方向に沿って筒状空洞部８が複数本列設して設けられ、これら筒状空洞部８，８…の一側面にループ状のまま潰れた状態で堆積する被覆層９が形成される。熱可塑性樹脂としては、ポリプロピレンの他にポリエチレン、ポリエチレンテレフタレートがあるが、安価に得られ耐久性にも優れていることからポリプロピレンが好ましい。
【００１４】
次に、三次元網状構造体１の製造方法を図示せずに説明する。平行に二列に並んだ複数のノズルから水槽内に溶融したモノフィラメントを落とし込む。貯水の中に落とし込まれた各モノフィラメントはそれぞれ自然とほぼ同じ大きさの平面略円形状となるように螺旋状に巻かれ、少なくともそれら一部が融着して交絡する。このようにして成形されたモノフィラメントを一対の受けロール間に通す。両受けロール間は一列に列設される筒状空洞部の厚み幅程度の寸法に設定され、両受けロール間を通過すると、前記のように筒状空洞部８，８…の一側面にループ状のまま潰れた状態で堆積する被覆層９が形成されることになる。三次元網状構造体１は通気性、通水性に優れ、各筒状空洞部８は排水を円滑にするためのものである。
【００１５】
下面被覆シート７は、三次元網状構造体１と同じ広さを有する不織布から形成される。不織布は天然繊維又は化学繊維のいずれも含まれ、通気性、通水性のいずれにも優れるものが良く、また、植物の根が貫通できる隙間を備えていることが好ましい。これら条件を備えていれば、他に、例えば天然素材、再生天然素材又は合成樹脂材からなる織物、網状物であっても良い。そして、図２（ロ）に示されるように被覆層９の裏面に下面被覆シート７が重ねられ、その適所にステイプラー１０を打ち込んで下面被覆シート７が固定される。また、下面被覆シート７は、三次元網状構造体１内に充填される植生基盤材４が無用に零れ落ちないようにする機能も果たしている。
【００１６】
植生基盤材４は、土壌改良材と肥料と種子とを混合してなる。土壌改良材は細粒状の有機質系土壌改良材と同じく細粒状の無機質系土壌改良材とからなり、肥料は即効性肥料、緩効性肥料、リン酸肥料からなる。また、種子としてクサヨシ、イワノガリヤス、オオヨモギ、クサフジが使用されるが、通常は施工地域に根付いた自生種が望ましい。これらは、植生基盤材１平方メートル当たり、例えば次の配分による。
有機質系土壌改良材  ：  ２０リットル        クサヨシ        ：１．８２ｇ
無機質系土壌改良材  ：５００ｇ              イワノガリヤス  ：０．４５ｇ
即効性肥料          ：１００ｇ              オオヨモギ      ：０．６０ｇ
緩効性肥料          ：  ６０ｇ              クサフジ        ：０．６０ｇ
リン酸肥料          ：  ８０ｇ
前記種子、土壌改良材、肥料は適宜混合され、図２（ハ）に示すようにほぼ三次元網状構造体１内の隙間２にその高さまで充填される。このように、三次元網状構造体１内に植生基盤材４を充填することにより植生基盤層５が形成される。
【００１７】
上面被覆シート６も三次元網状構造体１と同じ広さを有する。上面被覆シート６は、天然素材である藁により筵状に形成され、他にジュート等の天然素材を筵状に形成したものであっても良い。そして、図２（ニ）に示されるように植生基盤層５の表面に上面被覆シート６が重ねられ、適所にステイプラー１０を打ち込んで三次元網状構造体１に上面被覆シート６が固定される。これは、種子が成長して芽を出した場合も、その隙間から若葉が出やすくその育成に好適だからである。また、その土地の気候によっては、上面被覆シート６を合成樹脂材であって、種子３や植生基盤材４が落下せずしかも種子の芽は通過し得るような大きさの網目からなるメッシュ状のシートを使用しても良い。
【００１８】
本発明に係る法面保護マットＡは上記構成からなり、次に法面に敷設する工法及び敷設した状態を説明する。図３は法面に法面保護マットを敷設した状態の斜視図、図４は同側面断面図、図５は同一部拡大側面断面図である。法面Ｈの上端部にほぼ水平な平坦部Ｂが形成され、法面Ｈの下端部にはその下端部に沿って多くの小石を充填した網状の箱枠いわゆるフトンカゴＦが一列に配設されている。そして、上部の平坦面Ｂに該平坦面Ｂを覆うようにして１ｍ程度残し、そこから法面保護マットＡを法面Ｈの下方へ向けて敷設する。この際、三次元網状構造体１の各筒状空洞部８は法面Ｈに沿って上下方向を向く。そして、法面保護マットＡの上面から法面Ｈに複数の固定用杭１１を打ち込む。更に、この法面Ｈでは、その下方に連続してもう一枚の法面保護マットＡを敷設する。この作業を繰り返すことにより、法面Ｈを覆うようにして複数枚の法面保護マットＡが敷設される。
【００１９】
このようにして形成された法面保護マットＡを寒冷地の実際の法面に冬のシーズン中敷設して実験を行なったところ、本発明に係る法面保護マットＡにより覆われた法面Ｈは春先まで浸食・崩壊が起こらず保護されていた。
【００２０】
その後は、種子３から芽及び根が出ることになり、芽は上面被覆シート６である藁の筵の隙間から伸びて生長し法面Ｈの緑化に寄与し、根は下面被覆シート７である不織布を貫通して地層に伸びてその地層に根付き、土層をしっかりと固定させることになる。
【００２１】
通常、法面Ｈの土層は凍上により空洞が多くなり、そこに春先の降雨や融雪水が浸入て大規模な浸食が起きる。しかしながら、本発明に係る法面保護マットＡにあっては、降雨、融雪水による直接の浸食を上面被覆シート６により防止し、更に、法面Ｈの内部に深く浸透する前にその余剰水を各筒状空洞部８を介して下方へ排出する。これにより、法面Ｈの凍上現象が抑えられることになる。よって、寒冷地の法面Ｈであっても浸食・崩壊が起きにくくなり、人命を危険に晒したり景観を悪くするといった事態が解消される。また、法面保護マットＡは、上・下面被覆シート６，７と中間の植生基盤層５を積層し一体化した簡単な構成であって、しかも、法面Ｈに敷設するのみで済むことから、安価に提供できるばかりか施工が容易であり施工コストも低廉になし得る。
【００２２】
なお、上・下面被覆シート６，７はステイプラー１０によってそれぞれ三次元網状構造体１に固定するようにしたが、他に接着剤又はホットメルトによって固定するようにしても良い。また、本発明に係る法面保護マットＡは寒冷地でその本領を発揮するものであるが、寒冷地以外でも十分に本来の効果を発揮できることは言うまでもない。
【図面の簡単な説明】
【００２３】
【図１】本発明に係る法面保護マットの一部拡大斜視図。
【図２】（イ）〜（ニ）は同法面保護マットの製造段階を示す一部拡大側面断面図。
【図３】法面に法面保護マットを敷設した状態の斜視図。
【図４】同側面断面図。
【図５】同一部拡大側面断面図。
【符号の説明】
【００２４】
１            三次元網状構造体
２            隙間
３            種子
４            植生基盤材
５            植生基盤層
６            上面被覆シート
７            下面被覆シート
８            筒状空洞部
Ａ            法面保護マット
Ｈ            法面
【図１】
2008208604.tif 000003
【図２】
2008208604.tif 000004
【図３】
2008208604.tif 000005
【図４】
2008208604.tif 000006
【図５】
2008208604.tif 000007